(57)【要約】【課題】交通管制システムにおける通信を妨げることなく、当該通信の品質を的確に把握することが可能な交通管制端末装置を提供する。【解決手段】交通管制端末装置は、他の装置と通信を行う交通管制端末装置であって、前記他の装置から連続して送信されるフレームを受信する受信部と、前記受信部によって受信された前記フレームに所定情報が含まれる場合、前記フレームの取得処理を行うフレーム取得部と、前記フレーム取得部が前記取得処理を行っている状態であるか否かの確認を所定の周期で行う状態確認部と、前記状態確認部によって前記確認が行われた回数と、前記フレーム取得部が前記取得処理を行わなかった期間に含まれる前記周期の数とに基づいて、前記通信の状態を判断可能な第１の指標を算出する算出部と、前記算出部によって算出された前記第１の指標が認識可能となるような制御を行う提示制御部とを備える。【選択図】図６
2015210757.tif 000002
【特許請求の範囲】
【請求項１】
Ｕ形伝送方式およびＳ６形伝送方式の少なくともいずれか一方に従って他の装置と通信を行う交通管制端末装置であって、
前記他の装置から連続して送信される、交通情報を格納可能なフレームを受信する受信部と、
前記受信部によって受信された前記フレームに所定情報が含まれる場合、前記フレームの取得処理を行うフレーム取得部と、
前記フレーム取得部が前記取得処理を行っている状態であるか否かの確認であるフレーム確認を所定の周期で行う状態確認部と、
前記状態確認部によって前記フレーム確認が行われた回数と、前記フレーム取得部が前記取得処理を行わなかった期間に含まれる前記周期の数とに基づいて、前記通信の状態を判断可能な第１の指標を算出する算出部と、
前記算出部によって算出された前記第１の指標が認識可能となるような制御を行う提示制御部とを備える、交通管制端末装置。
【請求項２】
前記フレームは、前記他の装置から送信される搬送波によって伝送され、
前記受信部は、前記搬送波を受信することにより前記フレームを受信し、
前記状態確認部は、前記搬送波が前記受信部によって受信されているか否かの確認である信号確認を定期的または不定期に行い、
前記算出部は、前記状態確認部によって前記信号確認が行われた回数と、前記搬送波が受信されていないと前記状態確認部によって確認された回数とに基づいて、前記通信の状態を判断可能な第２の指標をさらに算出し、
前記提示制御部は、前記算出部によって算出された前記第２の指標が認識可能となるような制御をさらに行う、請求項１に記載の交通管制端末装置。
【請求項３】
Ｕ形伝送方式およびＳ６形伝送方式の少なくともいずれか一方に従って他の装置と通信を行う交通管制端末装置であって、
前記他の装置から連続して送信される、交通情報を格納可能なフレームを受信する受信部と、
前記受信部によって受信された前記フレームに所定情報が含まれる場合、前記フレームの取得処理を行うフレーム取得部とを備え、
前記他の装置は、サイズの異なる前記フレームを送信可能であり、
さらに、
前記フレーム取得部が観測期間において前記取得処理で得たフレームの数と、前記観測期間において前記フレーム取得部が前記取得処理により得ることが可能な、最大サイズのフレームの数とに基づいて、前記通信の状態を判断可能な第１の指標を算出する算出部と、
前記算出部によって算出された前記第１の指標が認識可能となるような制御を行う提示制御部とを備える、交通管制端末装置。
【請求項４】
前記フレームは、前記他の装置から送信される搬送波によって伝送され、
前記受信部は、前記搬送波を受信することにより前記フレームを受信し、
前記交通管制端末装置は、さらに、
前記搬送波が前記受信部によって受信されているか否かの確認である信号確認を定期的または不定期に行う状態確認部を備え、
前記算出部は、前記状態確認部によって前記信号確認が行われた回数と、前記搬送波が受信されていないと前記状態確認部によって確認された回数とに基づいて、前記通信の状態を判断可能な第２の指標をさらに算出し、
前記提示制御部は、前記算出部によって算出された前記第２の指標が認識可能となるような制御をさらに行う、請求項３に記載の交通管制端末装置。
【請求項５】
前記他の装置は、前記交通情報として前記交通管制端末装置の制御に関する指令情報をフレームに格納して送信し、
前記受信部は、前記他の装置から送信された前記指令情報を受信し、
前記交通管制端末装置は、さらに、
前記受信部によって受信された前記指令情報に基づいて、前記交通管制端末装置を前記他の装置によって制御され得る状態である遠隔状態へ遷移させる制御部と、
前記交通管制端末装置が前記遠隔状態から前記遠隔状態でない状態へ遷移した回数である非遠隔回数をカウントする非遠隔カウント部とを備え、
前記提示制御部は、前記非遠隔カウント部によってカウントされた前記非遠隔回数が認識可能となるような制御をさらに行う、請求項１から請求項４のいずれか１項に記載の交通管制端末装置。
【発明の詳細な説明】
【技術分野】
【０００１】
本発明は、交通管制端末装置に関し、特に、他の装置との通信品質を測定する交通管制端末装置に関する。
【背景技術】
【０００２】
複数の交差点の信号灯器の灯色を制御するために、交通信号制御機と車両感知器との間、または交通信号制御機と管制センタにおける中央装置との間で交通情報を伝送する交通管制システムが開発されている。
【０００３】
たとえば、特開２００８−２０５７６５号公報（特許文献１）には、以下のような無線通信システムが開示されている。すなわち、交通管制システムでは、路上に設置された交通信号制御機や光ビーコン等と交通管制センタに設置された中央装置との間で機器状態や制御に関する通信データをやり取りしている。前記通信データを第一無線通信装置が第二無線通信装置に対して送信する場合、第一無線通信装置は、無線通信経路Ａ〜Ｃのノイズ特性等を監視して、通信可能な通信速度の平均値や最小値等を取得する。また、前記通信データの属性を取得し、前記属性に応じた優先度を優先度テーブルから取得する。そして、前記取得した通信速度の平均値等および優先度に基づいて適切な無線通信経路を選択して送信する。
【先行技術文献】
【特許文献】
【０００４】
【特許文献１】特開２００８−２０５７６５号公報
【発明の概要】
【発明が解決しようとする課題】
【０００５】
ところで、現在のところ、交通管制システムにおける装置間の通信は有線で行われる場合が多い。装置間の通信が有線で行われている場合において、たとえば、工事によって回線の増設または回線の分岐等が行われると、上記機器間の通信品質が悪化することがある。
【０００６】
通信品質の悪化により、たとえば、中央装置が制御に関する通信データを交通信号制御機へ伝送できなくなった場合、交通信号制御機において信号灯器の灯色を適切に制御することができなくなり、交通渋滞が発生してしまう可能性がある。このような状況を回避するために、交通管制システムにおける装置間の通信品質を監視し、通信品質が悪化した場合には、速やかに対応することが望まれる。
【０００７】
装置間の通信品質を把握するための方法として、たとえば、疑似ランダム信号を一方の装置から送信し、他方の装置において当該疑似ランダム信号を受信して、装置間において正しく信号が伝送されたか否かを確認する方法がある。しかしながら、このような方法を用いる場合、装置間における通常の通信を停止する必要があるため、たとえば、装置の最適な制御を妨げてしまうことがある。また、たとえば、中央装置からある交通信号制御機に上記疑似ランダム信号を送信している間、中央装置が交通管制システムにおける他の装置へ交通情報を伝送できないような場合には、交通管制システムの提供する機能が全体的に停止してしまう。
【０００８】
また、たとえばオシロスコープを用いて通信信号におけるコンスタレーションを観察し、機器間の通信品質を評価する方法も考えられるが、このような方法では定量的な結果を得ることができないため、通信品質の把握が困難な場合がある。
【０００９】
この発明は、上述の課題を解決するためになされたもので、その目的は、交通管制システムにおける通信を妨げることなく、当該通信の品質を的確に把握することが可能な交通管制端末装置を提供することである。
【課題を解決するための手段】
【００１０】
（１）上記課題を解決するために、この発明のある局面に係る交通管制端末装置は、Ｕ形伝送方式およびＳ６形伝送方式の少なくともいずれか一方に従って他の装置と通信を行う交通管制端末装置であって、前記他の装置から連続して送信される、交通情報を格納可能なフレームを受信する受信部と、前記受信部によって受信された前記フレームに所定情報が含まれる場合、前記フレームの取得処理を行うフレーム取得部と、前記フレーム取得部が前記取得処理を行っている状態であるか否かの確認であるフレーム確認を所定の周期で行う状態確認部と、前記状態確認部によって前記フレーム確認が行われた回数と、前記フレーム取得部が前記取得処理を行わなかった期間に含まれる前記周期の数とに基づいて、前記通信の状態を判断可能な第１の指標を算出する算出部と、前記算出部によって算出された前記第１の指標が認識可能となるような制御を行う提示制御部とを備える。
【００１１】
（３）またこの発明の別の局面に係る交通管制端末装置は、Ｕ形伝送方式およびＳ６形伝送方式の少なくともいずれか一方に従って他の装置と通信を行う交通管制端末装置であって、前記他の装置から連続して送信される、交通情報を格納可能なフレームを受信する受信部と、前記受信部によって受信された前記フレームに所定情報が含まれる場合、前記フレームの取得処理を行うフレーム取得部とを備え、前記他の装置は、サイズの異なる前記フレームを送信可能であり、さらに、前記フレーム取得部が観測期間において前記取得処理で得たフレームの数と、前記観測期間において前記フレーム取得部が前記取得処理により得ることが可能な、最大サイズのフレームの数とに基づいて、前記通信の状態を判断可能な第１の指標を算出する算出部と、前記算出部によって算出された前記第１の指標が認識可能となるような制御を行う提示制御部とを備える。
【００１２】
本発明は、このような特徴的な処理部を備える交通管制端末装置として実現することができるだけでなく、かかる特徴的な処理をステップとする方法として実現したり、かかるステップをコンピュータに実行させるためのプログラムとして実現したりすることができる。また、交通管制端末装置の一部または全部を実現する半導体集積回路として実現したり、交通管制端末装置を含むシステムとして実現したりすることができる。
【発明の効果】
【００１３】
本発明によれば、交通管制システムにおける通信を妨げることなく、当該通信の品質を的確に把握することができる。
【図面の簡単な説明】
【００１４】
【図１】図１は、本発明の第１の実施の形態に係る交通管制システムの構成を示す図である。
【図２】図２は、本発明の第１の実施の形態に係る集約回線接続装置が中央装置から受信するフレームの構成を示す図である。
【図３】図３は、本発明の第１の実施の形態に係る集約回線接続装置の構成を示す図である。
【図４】図４は、本発明の第１の実施の形態に係る集約回線接続装置が交通信号制御機である場合において、当該集約回線接続装置が中央装置から受信する指令情報に含まれるフィールドの一例を示す図である。
【図５】図５は、本発明の第１の実施の形態に係る集約回線接続装置が交通信号制御機である場合において、当該集約回線接続装置が送信する動作実行情報に含まれるフィールドの一例を示す図である。
【図６】図６は、本発明の第１の実施の形態に係る集約回線接続装置における中央通信部の構成を示す図である。
【図７】図７は、本発明の第１の実施の形態に係る集約回線接続装置におけるフレームの取得処理を説明するための図である。
【図８】図８は、本発明の第１の実施の形態に係る集約回線接続装置における端末通信部の構成を示す図である。
【図９】図９は、本発明の第１の実施の形態に係る集約回線接続装置における処理部の構成を示す図である。
【図１０】図１０は、本発明の第１の実施の形態に係る集約回線接続装置による、中央通信部との通信におけるＣＤ切断率の算出を説明するための図である。
【図１１】図１１は、本発明の第１の実施の形態に係る集約回線接続装置による、中央通信部との通信におけるＬＩＮＫ切断率の算出を説明するための図である。
【図１２】図１２は、本発明の第１の実施の形態に係る集約回線接続装置による、中央装置との通信状態を判断可能な取得エラー率の算出を説明するための図である。
【図１３】図１３は、本発明の第１の実施の形態に係る集約回線接続装置の表示部における表示内容の一例を示す図である。
【図１４】図１４は、本発明の第１の実施の形態に係る集約回線接続装置の表示部における表示内容の他の例を示す図である。
【図１５】図１５は、本発明の第１の実施の形態に係る集約回線接続装置における異常の内容と各指標との関係の一例を示す図である。
【図１６】図１６は、本発明の第１の実施の形態に係る集約回線接続装置における異常の内容と各指標との関係の他の例を示す図である。
【図１７】図１７は、本発明の第１の実施の形態に係る集約回線接続装置の機能の一部をソフトウェアにより実現した場合におけるソフトウェアの動作内容の一例を示す図である。
【図１８】図１８は、本発明の第２の実施の形態に係る集約回線接続装置における処理部の構成を示す図である。
【図１９】図１９は、本発明の第２の実施の形態に係る集約回線接続装置による、中央装置との通信状態を判断可能な取得エラー指数の算出を説明するための図である。
【発明を実施するための形態】
【００１５】
最初に、本発明の実施の形態の内容を列記して説明する。
【００１６】
（１）本発明の実施の形態に係る交通管制端末装置は、Ｕ形伝送方式およびＳ６形伝送方式の少なくともいずれか一方に従って他の装置と通信を行う交通管制端末装置であって、前記他の装置から連続して送信される、交通情報を格納可能なフレームを受信する受信部と、前記受信部によって受信された前記フレームに所定情報が含まれる場合、前記フレームの取得処理を行うフレーム取得部と、前記フレーム取得部が前記取得処理を行っている状態であるか否かの確認であるフレーム確認を所定の周期で行う状態確認部と、前記状態確認部によって前記フレーム確認が行われた回数と、前記フレーム取得部が前記取得処理を行わなかった期間に含まれる前記周期の数とに基づいて、前記通信の状態を判断可能な第１の指標を算出する算出部と、前記算出部によって算出された前記第１の指標が認識可能となるような制御を行う提示制御部とを備える。
【００１７】
このような構成により、たとえば、他の装置から送信されたフレームの取得処理が可能であった時間に対する、当該フレームの取得処理が行われなかった時間の割合を第１の指標として取得することができ、取得した第１の指標がたとえば所定値より大きい場合に、通信の状態に異常が有ると判断することができる。このため、装置間で交通情報の伝送を継続して行いながら、通信の状態を容易に判断することができる。したがって、交通管制システムにおける通信を妨げることなく、当該通信の品質を的確に把握することができる。
【００１８】
（２）好ましくは、前記フレームは、前記他の装置から送信される搬送波によって伝送され、前記受信部は、前記搬送波を受信することにより前記フレームを受信し、前記状態確認部は、前記搬送波が前記受信部によって受信されているか否かの確認である信号確認を定期的または不定期に行い、前記算出部は、前記状態確認部によって前記信号確認が行われた回数と、前記搬送波が受信されていないと前記状態確認部によって確認された回数とに基づいて、前記通信の状態を判断可能な第２の指標をさらに算出し、前記提示制御部は、前記算出部によって算出された前記第２の指標が認識可能となるような制御をさらに行う。
【００１９】
このような構成により、たとえば、他の装置からの搬送波の受信が可能であった時間に対する、当該搬送波を受信しなかった時間の割合を第２の指標として取得することができるため、第２の指標がたとえば所定値より大きい場合に、通信の状態に異常が有ると判断することができる。また、たとえば、第１の指標に基づいて、通信の状態に異常が有ると判断した場合に、第２の指標を確認することによって、当該搬送波を受信していないために異常が生じているのか、当該搬送波を受信しているにも関わらず異常が生じているのかを知ることができる。
【００２０】
（３）またこの発明の別の局面に係る交通管制端末装置は、Ｕ形伝送方式およびＳ６形伝送方式の少なくともいずれか一方に従って他の装置と通信を行う交通管制端末装置であって、前記他の装置から連続して送信される、交通情報を格納可能なフレームを受信する受信部と、前記受信部によって受信された前記フレームに所定情報が含まれる場合、前記フレームの取得処理を行うフレーム取得部とを備え、前記他の装置は、サイズの異なる前記フレームを送信可能であり、さらに、前記フレーム取得部が観測期間において前記取得処理で得たフレームの数と、前記観測期間において前記フレーム取得部が前記取得処理により得ることが可能な、最大サイズのフレームの数とに基づいて、前記通信の状態を判断可能な第１の指標を算出する算出部と、前記算出部によって算出された前記第１の指標が認識可能となるような制御を行う提示制御部とを備える。
【００２１】
このような構成により、観測期間において取得処理で得ることが可能な最大サイズのフレームの数に対する、当該観測期間に実際に取得処理で得たフレームの数の割合を第１の指標として取得することができ、取得した第１の指標がたとえば所定値より小さい場合に、通信の状態に異常が有ると判断することができる。このため、装置間で交通情報の伝送を継続して行いながら、通信の状態を容易に判断することができる。したがって、交通管制システムにおける通信を妨げることなく、当該通信の品質を的確に把握することができる。
【００２２】
（４）好ましくは、前記フレームは、前記他の装置から送信される搬送波によって伝送され、前記受信部は、前記搬送波を受信することにより前記フレームを受信し、前記交通管制端末装置は、さらに、前記搬送波が前記受信部によって受信されているか否かの確認である信号確認を定期的または不定期に行う状態確認部を備え、前記算出部は、前記状態確認部によって前記信号確認が行われた回数と、前記搬送波が受信されていないと前記状態確認部によって確認された回数とに基づいて、前記通信の状態を判断可能な第２の指標をさらに算出し、前記提示制御部は、前記算出部によって算出された前記第２の指標が認識可能となるような制御をさらに行う。
【００２３】
このような構成により、たとえば、他の装置からの搬送波の受信が可能であった時間に対する、当該搬送波を受信しなかった時間の割合を第２の指標として取得することができるため、第２の指標がたとえば所定値より大きい場合に、通信の状態に異常が有ると判断することができる。また、たとえば、第１の指標に基づいて、通信の状態に異常が有ると判断した場合に、第２の指標を確認することによって、当該搬送波を受信していないために異常が生じているのか、当該搬送波を受信しているにも関わらず異常が生じているのかを知ることができる。
【００２４】
（５）好ましくは、前記他の装置は、前記交通情報として前記交通管制端末装置の制御に関する指令情報をフレームに格納して送信し、前記受信部は、前記他の装置から送信された前記指令情報を受信し、前記交通管制端末装置は、さらに、前記受信部によって受信された前記指令情報に基づいて、前記交通管制端末装置を前記他の装置によって制御され得る状態である遠隔状態へ遷移させる制御部と、前記交通管制端末装置が前記遠隔状態から前記遠隔状態でない状態へ遷移した回数である非遠隔回数をカウントする非遠隔カウント部とを備え、前記提示制御部は、前記非遠隔カウント部によってカウントされた前記非遠隔回数が認識可能となるような制御をさらに行う。
【００２５】
このような構成により、たとえば、非遠隔回数が所定値よりも大きい場合に、通信の状態または制御部に異常が有ると判断することができる。
【００２６】
また、非遠隔回数が大きい場合、たとえば、第１の指標を確認することによって、通信の状態に異常が有るために非遠隔回数が大きいのか、通信の状態に異常が無いにも関わらず、非遠隔回数が大きいのかを知ることができる。
【００２７】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００２８】
＜第１の実施の形態＞
［構成および基本動作］
図１は、本発明の第１の実施の形態に係る交通管制システムの構成を示す図である。
【００２９】
図１を参照して、交通管制システム１００は、中央装置１１と、集約回線接続装置１２と、端末回線接続装置１３Ａと、端末回線接続装置１３Ｂとを備える。以下、端末回線接続装置１３Ａおよび端末回線接続装置１３Ｂの各々を端末回線接続装置１３とも称する。なお、交通管制システム１００は、２つの端末回線接続装置１３を備える構成に限らず、１つ以上の端末回線接続装置１３を備える構成であればよい。また、交通管制システム１００は、端末回線接続装置１３を備えない構成であってもよい。
【００３０】
中央装置１１は、たとえば、交通管制センターに設置され、交差点に設置された集約回線接続装置１２と通信し、交通制御に関する交通情報の送信および受信を行う。具体的には、たとえば、中央装置１１は、集約回線接続装置１２の動作を制御するための情報である指令情報を集約回線接続装置１２へ送信する。また、中央装置１１は、端末回線接続装置１３の動作を制御するための指令情報を集約回線接続装置１２経由で当該端末回線接続装置１３へ送信する。
【００３１】
集約回線接続装置１２は、たとえば交通信号制御機、光ビーコンまたは車両感知器等の交通管制端末装置であり、中央装置１１および端末回線接続装置１３と通信し、交通情報の送信および受信を行う。具体的には、集約回線接続装置１２は、中央装置１１から受信した指令情報が自己を宛先とする場合、当該指令情報に従って動作する。また、集約回線接続装置１２は、たとえば、端末回線接続装置１３を宛先とする指令情報を受信すると、当該指令情報を宛先の端末回線接続装置１３へ送信する。
【００３２】
また、集約回線接続装置１２は、自己の動作内容等を示す動作実行情報、車両との通信により取得した情報および交通量を示す情報等を中央装置１１へ送信する。動作実行情報は、集約回線接続装置１２に異常がある場合には、当該異常の内容を含んでもよい。
【００３３】
端末回線接続装置１３は、たとえば交通信号制御機、光ビーコンまたは車両感知器等の交通管制端末装置であり、たとえば集約回線接続装置１２が設置された交差点に隣接する交差点に設置される。端末回線接続装置１３は、集約回線接続装置１２と通信し、交通情報の送信および受信を行う。具体的には、端末回線接続装置１３は、集約回線接続装置１２経由で中央装置１１からの指令情報を受信し、受信した指令情報に従って動作する。また、端末回線接続装置１３は、自己の動作内容を示す動作実行情報等を集約回線接続装置１２経由で中央装置１１へ送信する。
【００３４】
中央装置１１および集約回線接続装置１２間の通信は、Ｕ形伝送方式に従って行われる。Ｕ形伝送方式とは、社団法人  新交通管理システム協会によって定められた「Ｕ形インターフェース規格」および「Ｕ形通信アプリケーション共通規格」等に準じる通信方式である。
【００３５】
集約回線接続装置１２および端末回線接続装置１３間の通信は、Ｓ６形伝送方式に従って行われる。Ｓ６形伝送方式とは、社団法人新交通管理システム協会によって定められた「Ｓ６形インターフェース規格」および「Ｓ６形通信アプリケーション共通規格」等に準じる通信方式である。
【００３６】
中央装置１１と集約回線接続装置１２との通信、および集約回線接続装置１２と端末回線接続装置１３との通信のいずれにおいても、情報は、フレームに格納された状態で送受信される。
【００３７】
中央装置１１および集約回線接続装置１２間において送受信されるフレームは、搬送波によって伝送される。具体的には、中央装置１１は、搬送波を生成し、生成した搬送波をフレームに基づいて変調した変調信号を集約回線接続装置１２へ送信する。また、集約回線接続装置１２は、搬送波を生成し、生成した搬送波をフレームに基づいて変調した変調信号を中央装置１１へ送信する。
【００３８】
一方、集約回線接続装置１２および端末回線接続装置１３間において送受信されるフレームはデジタル信号の状態で伝送される。
【００３９】
図２は、本発明の第１の実施の形態に係る集約回線接続装置が中央装置から受信するフレームの構成を示す図である。
【００４０】
図２を参照して、フレームＦ１は、Ｕ形伝送方式に従って作成されたフレームである。フレームＦ１には、フレームの開始を示す１バイトのフラグシーケンスと、宛先を示す１バイトのアドレスフィールドと、伝送制御のために用いられる１バイトの制御フィールドと、データ本体であり、最大２５６バイトの情報フィールドと、誤り検出に用いられる２バイトのフレームチェックシーケンスと、フレームの終了を示す１バイトのフラグシーケンスとが含まれる。
【００４１】
たとえば、中央装置１１は、サイズの異なるフレームを送信可能である。具体的には、情報フィールドのサイズは、フレームごとに異なる場合があるが、上述のように最大２５６バイトと規定されている。なお、２つのフラグシーケンスの値は、いずれも１６進数で７Ｅである。
【００４２】
一方、集約回線接続装置１２が端末回線接続装置１３から受信するフレームすなわちＳ６形伝送方式に従って作成されたフレームも、フレームの開始を示すフラグシーケンスと、データ本体である情報フィールドと、フレームの終了を示すフラグシーケンスとを含む。
【００４３】
端末回線接続装置１３は、サイズの異なるフレームを送信可能である。具体的には、当該フレームのサイズは、たとえばフレームごとに異なる場合があるが、最大値が規定されている。
【００４４】
交通管制システム１００では、フレームは、中央装置１１と集約回線接続装置１２との通信、および集約回線接続装置１２と端末回線接続装置１３との通信のいずれにおいても、連続して送信される。このため、フレームの終了を示すフラグシーケンスは、次のフレームの開始を示すフラグシーケンスとして用いられる。また、この場合、たとえば、中央装置１１から送信されるフレームのサイズは、最大で（１＋１＋１＋２５６＋２）＝２６１バイトとなる。
【００４５】
図３は、本発明の第１の実施の形態に係る集約回線接続装置の構成を示す図である。
【００４６】
図３を参照して、集約回線接続装置１２は、制御部２０と、通信部２１と、端末間インターフェース部２２と、表示部２８と、長期記憶部２９とを含む。通信部２１は、中央通信部２４と、端末通信部２５Ａと、端末通信部２５Ｂと、処理部２６とを含む。端末間インターフェース部２２は、インターフェース回路２７Ａと、インターフェース回路２７Ｂとを含む。
【００４７】
以下、端末通信部２５Ａおよび端末通信部２５Ｂの各々を端末通信部２５とも称する。また、インターフェース回路２７Ａおよびインターフェース回路２７Ｂの各々をインターフェース回路２７とも称する。
【００４８】
中央通信部２４は、中央装置１１からの指令情報を受信して、受信した指令情報のうち、端末回線接続装置１３を宛先とする指令情報を当該端末回線接続装置１３に対応する端末通信部２５へ出力する。また、中央通信部２４は、端末回線接続装置１３から対応の端末通信部２５経由で受信した動作実行情報等を中央装置１１へ送信する。
【００４９】
また、中央通信部２４は、中央装置１１から受信した指令情報のうち、集約回線接続装置１２を宛先とする指令情報を制御部２０へ出力する。
【００５０】
制御部２０は、中央装置１１から中央通信部２４経由で受信した指令情報に基づいて、集約回線接続装置１２の動作内容を維持または変更する。具体的には、たとえば、集約回線接続装置１２が交通信号制御機である場合において、制御部２０は、中央通信部２４から受けた指令情報に遠隔指令が含まれているときには、集約回線接続装置１２を遠隔状態へ遷移させる。遠隔状態とは、集約回線接続装置１２が中央装置１１によって制御され得る状態である。
【００５１】
また、制御部２０は、たとえば周期的に動作実行情報等を作成して、中央通信部２４経由で中央装置１１へ送信する。制御部２０は、たとえば、集約回線接続装置１２の状態が遠隔状態であるかまたは遠隔状態でないかを示す遠隔状態情報を動作実行情報に含めて送信する。
【００５２】
図４は、本発明の第１の実施の形態に係る集約回線接続装置が交通信号制御機である場合において、当該集約回線接続装置が中央装置から受信する指令情報に含まれるフィールドの一例を示す図である。
【００５３】
図４を参照して、指令情報は、「予備」、「調光指令」、「現示切替」、「読取指令」および「遠隔指令」のビットで構成されるフィールドを含む。中央装置１１は、「遠隔指令」のビットをたとえば「１」に設定した指令情報を送信することにより、遠隔指令を集約回線接続装置１２へ送信する。
【００５４】
中央装置１１は、たとえば、１分間に１回の頻度で集約回線接続装置１２へ遠隔指令を送信する。集約回線接続装置１２は、遠隔状態へ遷移した後、たとえば１０分間、中央装置１１からの遠隔指令を受けない場合に、遠隔状態から、遠隔状態でない状態である非遠隔状態へ遷移する。また、集約回線接続装置１２は、たとえば故障によって遠隔状態から非遠隔状態へ遷移する場合がある。
【００５５】
図５は、本発明の第１の実施の形態に係る集約回線接続装置が交通信号制御機である場合において、当該集約回線接続装置が送信する動作実行情報に含まれるフィールドの一例を示す図である。
【００５６】
図５を参照して、動作実行情報は、「時刻修正実行」、「読取実行」、「中央指令不可」、「中央指令受信」、「表示異常」、「予備」、「同期中」および「遠隔動作中」のビットで構成されるフィールドを含む。
【００５７】
集約回線接続装置１２において、制御部２０は、「遠隔動作中」ビットをたとえば「１」に設定した動作実行情報を中央通信部２４へ出力することにより、集約回線接続装置１２が遠隔状態であることを示す遠隔状態情報を中央装置１１へ送信する。
【００５８】
一方、集約回線接続装置１２は、「遠隔動作中」ビットをたとえば「０」に設定した動作実行情報を送信することにより、集約回線接続装置１２が非遠隔状態であることを示す遠隔状態情報を中央装置１１へ送信する。
【００５９】
再び図３を参照して、中央通信部２４は、集約回線接続装置１２が遠隔状態から非遠隔状態へ遷移した場合に、遷移した旨を示す信号を処理部２６へ出力する。また、中央通信部２４は、中央装置１１および集約回線接続装置１２間の通信状態を判断可能な指標、の算出に用いられる複数の信号を生成して処理部２６へ出力する。
【００６０】
端末通信部２５Ａは、中央通信部２４から受けた指令情報をインターフェース回路２７Ａ経由で端末回線接続装置１３Ａへ送信する。また、端末通信部２５Ａは、インターフェース回路２７Ａ経由で端末回線接続装置１３Ａから動作実行情報等を受信して、当該動作実行情報等を中央通信部２４へ出力する。
【００６１】
また、端末通信部２５Ａは、集約回線接続装置１２および端末回線接続装置１３Ａ間の通信状態を判断可能な指標、の算出に用いられる複数の信号を生成して処理部２６へ出力する。
【００６２】
端末通信部２５Ｂは、中央通信部２４から受けた指令情報をインターフェース回路２７Ｂ経由で端末回線接続装置１３Ｂへ送信する。また、端末通信部２５Ｂは、インターフェース回路２７Ｂ経由で端末回線接続装置１３Ｂから動作実行情報等を受信して、当該動作実行情報等を中央通信部２４へ出力する。
【００６３】
また、端末通信部２５Ｂは、集約回線接続装置１２および端末回線接続装置１３Ｂ間の通信状態を判断可能な指標、の算出に用いられる複数の信号を生成して処理部２６へ出力する。
【００６４】
インターフェース回路２７Ａは、たとえばフォトカプラを含み、端末通信部２５Ａおよび端末回線接続装置１３Ａ間を電気的に絶縁しつつ、互いの信号を伝達する。また、インターフェース回路２７Ｂは、たとえばフォトカプラを含み、端末通信部２５Ｂおよび端末回線接続装置１３Ｂ間を電気的に絶縁しつつ、互いの信号を伝達する。
【００６５】
処理部２６は、中央通信部２４、端末通信部２５Ａおよび端末通信部２５Ｂから受けた各信号に基づいて、たとえば、中央装置１１と集約回線接続装置１２との通信状態を判断可能な指標、および集約回線接続装置１２と各端末回線接続装置１３との通信状態を判断可能な指標を算出する。また、処理部２６は、算出した指標の表示部２８への表示、および長期記憶部２９への保存を行う。
【００６６】
長期記憶部２９は、たとえば、フラッシュメモリ等の不揮発性メモリを含み、上記の各指標を記憶する。
【００６７】
表示部２８は、たとえばモニターあり、処理部２６によって算出された上記指標等を表示する。なお、表示部２８は、ＬＥＤであってもよいし、複数のＬＥＤによって構成される７セグメントディスプレイであってもよい。
【００６８】
図６は、本発明の第１の実施の形態に係る集約回線接続装置における中央通信部の構成を示す図である。
【００６９】
図６を参照して、中央通信部２４は、受信部３０と、モデム部３１と、フレーム取得部３２と、フレーム生成部３３と、送信部３４と、ＣＤ確認部３５と、ＬＩＮＫ確認部３６と、遠隔確認部３７とを含む。
【００７０】
受信部３０は、中央装置１１から送信された、指令情報が格納されたフレームを受信する。具体的には、受信部３０は、中央装置１１から送信された搬送波およびフレームに基づく変調信号を受信することによって、当該フレームを受信する。受信部３０は、受信した変調信号をＣＤ確認部３５およびモデム部３１へ出力する。
【００７１】
ＣＤ確認部３５は、中央装置１１からの搬送波が受信部３０において受信されているか否かを判定する。具体的には、ＣＤ確認部３５は、受信部３０から受けた変調信号の受信レベルを測定し、測定値が所定値以上の場合に、中央装置１１からの搬送波が受信部３０において受信されていると判定する。
【００７２】
以下、ＣＤ確認部３５における信号の受信レベルが所定値以上の状態をＣＤ状態とも称し、ＣＤ確認部３５における信号の受信レベルが所定値未満の状態をＣＤ切断状態とも称する。
【００７３】
ＣＤ確認部３５は、ＣＤ状態であるかまたはＣＤ切断状態であるかを示すＣＤ信号を処理部２６へ出力する。具体的には、たとえば、ＣＤ確認部３５は、ＣＤ状態においてハイレベルのＣＤ信号を出力し、ＣＤ切断状態においてローレベルのＣＤ信号を出力する。
【００７４】
モデム部３１は、受信部３０から受けた変調信号を復調し、デジタル信号に変換してフレーム取得部３２およびＬＩＮＫ確認部３６へ出力する。
【００７５】
ＬＩＮＫ確認部３６は、中央装置１１および集約回線接続装置１２間において通信接続が確立した状態か否かを判定する。具体的には、ＬＩＮＫ確認部３６は、モデム部３１から受けたデジタル信号を確認して、中央装置１１および集約回線接続装置１２間においてセッションが確立された状態であるか否かを判定する。
【００７６】
以下、中央装置１１および集約回線接続装置１２間において通信接続が確立した状態をＬＩＮＫ状態とも称し、中央装置１１および集約回線接続装置１２間において通信接続が確立していない状態をＬＩＮＫ切断状態とも称する。
【００７７】
ＬＩＮＫ確認部３６は、ＬＩＮＫ状態であるかまたはＬＩＮＫ切断状態であるかを示すＬＩＮＫ信号を処理部２６へ出力する。具体的には、たとえば、ＬＩＮＫ確認部３６は、ＬＩＮＫ状態においてハイレベルのＬＩＮＫ信号を出力し、ＬＩＮＫ切断状態においてローレベルＬＩＮＫ信号を出力する。
【００７８】
図７は、本発明の第１の実施の形態に係る集約回線接続装置におけるフレームの取得処理を説明するための図である。
【００７９】
中央装置１１は、上述のように、連続してフレームを送信する。また、中央装置１１から送信されるフレームのデータサイズは、たとえばフレームごとに異なる場合がある。各フレームは、先頭にフラグシーケンスを含む。
【００８０】
フレーム取得部３２は、受信部３０によって受信されたフレームに所定情報たとえばフラグシーケンスが含まれている場合、当該フレームの取得処理を行う。フレーム取得部３２は、たとえば当該取得処理として、フラグシーケンスに基づいて有効なフレームの区切りを認識し、たとえばフレームの先頭を示すフレームパルスを生成して、当該フレームとともに他のユニットへ出力する。
【００８１】
具体的には、図７を参照して、フレーム取得部３２は、モデム部３１経由で中央装置１１からの信号を受信して、当該信号からフラグシーケンスを検出する。フレーム取得部３２は、当該信号からフラグシーケンスを検出できた場合、フレームの取得処理を開始する。
【００８２】
フレーム取得部３２は、中央装置１１からのフレームが途切れた場合、すなわちフラグシーケンスを検出してから所定時間Ｍが経過しても次のフラグシーケンスを検出できない場合に、フレームの取得処理を停止する。
【００８３】
また、フレーム取得部３２は、フレームの取得処理を行っている期間であるか否かを示すフレーム取得信号を出力する。具体的には、たとえば、フレーム取得部３２は、フレームの取得処理を行っている期間においてハイレベルのフレーム取得信号を出力し、フレームの取得処理を行っていない期間においてローレベルのフレーム取得信号を出力する。
【００８４】
再び図６を参照して、フレーム取得部３２は、取得処理により得られたフレームを、当該フレームが示す宛先へ出力する。具体的には、フレーム取得部３２は、取得処理により得られたフレームにおける、図２に示すアドレスフィールドを確認し、当該フレームの宛先が集約回線接続装置１２の場合には、当該フレームを制御部２０へ出力し、当該フレームの宛先が端末回線接続装置１３の場合には、当該フレームを対応の端末通信部２５へ出力する。
【００８５】
遠隔確認部３７は、制御部２０からたとえば周期的に出力される動作実行情報を受ける。遠隔確認部３７は、動作実行情報に含まれる遠隔状態情報を参照して、集約回線接続装置１２が遠隔状態であるか、非遠隔状態であるかを確認する。
【００８６】
遠隔確認部３７は、遠隔状態から非遠隔状態へ遷移したことを示す非遠隔信号を出力する。具体的には、たとえば、遠隔確認部３７は、通常、ローレベルの非遠隔信号を出力しており、集約回線接続装置１２が遠隔状態から非遠隔状態へ遷移したことを認識すると、所定時間ハイレベルの非遠隔信号を出力する。遠隔確認部３７は、集約回線接続装置１２が遠隔状態から非遠隔状態へ遷移するたびにハイレベルの非遠隔信号を出力する。
【００８７】
フレーム生成部３３は、制御部２０、端末通信部２５Ａおよび端末通信部２５Ｂの各々から動作実行情報等を受ける。フレーム生成部３３は、制御部２０から受けた動作実行情報等と、端末通信部２５Ａから受けた端末回線接続装置１３Ａの動作実行情報等と、端末通信部２５Ｂから受けた端末回線接続装置１３Ｂの動作実行情報等とを１または複数のフレームに格納してモデム部３１へ出力する。
【００８８】
モデム部３１は、フレーム生成部３３から受けたフレームであるデジタル信号をアナログ信号に変換し、変調して送信部３４へ出力する。送信部３４は、モデム部３１から受けた変調後の信号を中央装置１１へ送信する。
【００８９】
図８は、本発明の第１の実施の形態に係る集約回線接続装置における端末通信部の構成を示す図である。
【００９０】
図８を参照して、端末通信部２５は、送信部５０と、受信部５１と、フレーム取得部５２と、ＣＤ確認部５３と、ＬＩＮＫ確認部５４とを含む。
【００９１】
送信部５０は、中央通信部２４から端末回線接続装置１３を宛先とするフレームを受けると、当該フレームを対応のインターフェース回路２７経由で当該端末回線接続装置１３へ送信する。
【００９２】
受信部５１は、フレームを含むデジタル信号をインターフェース回路２７経由で端末回線接続装置１３から受信する。受信部５１は、受信したデジタル信号をフレーム取得部５２、ＣＤ確認部５３およびＬＩＮＫ確認部５４へ出力する。
【００９３】
ＣＤ確認部５３は、端末回線接続装置１３からのデジタル信号が受信部５１において受信されているか否かを判定する。具体的には、ＣＤ確認部５３は、端末回線接続装置１３からインターフェース回路２７および受信部３０経由で受信したデジタル信号が所定時間のうちにハイレベルからローレベル、またはローレベルからハイレベルへ遷移するか否かを確認する。ＣＤ確認部５３は、たとえば、レベルの遷移が確認できた場合に、端末回線接続装置１３からのデジタル信号が受信部５１において受信されていると判定する。
【００９４】
以下、端末回線接続装置１３からのデジタル信号のレベルの遷移が確認できている状態をＣＤ状態とも称し、端末回線接続装置１３からのデジタル信号のレベルの遷移が確認できていない状態をＣＤ切断状態とも称する。
【００９５】
ＣＤ確認部５３は、ＣＤ状態であるかまたはＣＤ切断状態であるかを示すＣＤ信号を処理部２６へ出力する。具体的には、たとえば、ＣＤ確認部５３は、ＣＤ状態において、ハイレベルのＣＤ信号を出力し、ＣＤ切断状態においてローレベルのＣＤ信号を出力する。
【００９６】
ＬＩＮＫ確認部５４は、集約回線接続装置１２および端末回線接続装置１３間において通信接続が確立した状態であるか否かを判定する。具体的には、たとえば、ＬＩＮＫ確認部５４は、端末回線接続装置１３からの確認応答があるか否かに基づいて通信接続の確立を判定する。
【００９７】
以下、集約回線接続装置１２および端末回線接続装置１３間において通信接続が確立された状態をＬＩＮＫ状態とも称し、集約回線接続装置１２および端末回線接続装置１３間において通信接続が確立されていない状態をＬＩＮＫ切断状態とも称する。
【００９８】
ＬＩＮＫ確認部５４は、ＬＩＮＫ状態であるかまたはＬＩＮＫ切断状態であるかを示すＬＩＮＫ信号を処理部２６へ出力する。具体的には、たとえば、ＬＩＮＫ確認部５４は、ＬＩＮＫ状態においてハイレベルのＬＩＮＫ信号を出力、ＬＩＮＫ切断状態においてローレベルのＬＩＮＫ信号を出力する。
【００９９】
フレーム取得部５２は、受信部５１によって受信されたフレームに所定情報たとえばフラグシーケンスが含まれている場合に、当該フレームの取得処理を行う。たとえば、フレーム取得部５２は、当該取得処理として、フラグシーケンスに基づいて有効なフレームの区切りを認識し、たとえばフレームの先頭を示すフレームパルスを生成して、当該フレームとともに他のユニットへ出力する。
【０１００】
具体的には、フレーム取得部５２は、受信部５１から受けたデジタル信号を確認して、フラグの開始を示すフラグシーケンスを検出する。フレーム取得部５２は、フラグシーケンスを検出した場合、フレームの取得処理を開始する。
【０１０１】
端末回線接続装置１３は、上述のように、連続してフレームを送信する。フレーム取得部５２は、端末回線接続装置１３からのフレームが途切れた場合、すなわちフラグシーケンスを検出してから所定時間、次のフラグシーケンスを検出しない場合に、フレームの取得処理を停止する。
【０１０２】
フレーム取得部５２は、フレームの取得処理を行っている期間であるか否かを示すフレーム取得信号を処理部２６へ出力する。具体的には、たとえば、フレーム取得部５２は、フレームの取得処理を行っている期間においてハイレベルのフレーム取得信号を出力し、フレームの取得処理を行っていない期間においてローレベルのフレーム取得信号を出力する。また、フレーム取得部５２は、取得処理により得られたフレームを中央通信部２４経由で中央装置１１へ送信する。
【０１０３】
図９は、本発明の第１の実施の形態に係る集約回線接続装置における処理部の構成を示す図である。
【０１０４】
図９を参照して、処理部２６は、算出部７０と、状態確認部７１と、非遠隔カウント部７５と、提示制御部７６と、短期記憶部７７とを含む。算出部７０は、取得エラー率算出部７２と、ＣＤ切断率算出部７３と、ＬＩＮＫ切断率算出部７４とを含む。
【０１０５】
［ＣＤ切断率の算出］
状態確認部７１は、中央装置１１からの搬送波が中央通信部２４における受信部３０によって受信されているか否かの確認を定期的に行う。具体的には、状態確認部７１は、中央通信部２４からのＣＤ信号のレベルの確認を定期的に行う。
【０１０６】
また、状態確認部７１は、端末通信部２５ＡからのＣＤ信号のレベル、および端末通信部２５ＢからのＣＤ信号のレベルを定期的に確認する。なお、状態確認部７１は、各ＣＤ信号のレベルの確認を不定期に行ってもよい。
【０１０７】
ＣＤ切断率算出部７３は、状態確認部７１による確認の結果に基づいて、中央装置１１との通信状態を判断可能な指標であるＣＤ切断率Ｉｃ１、端末回線接続装置１３Ａとの通信状態を判断可能な指標であるＣＤ切断率Ｉｃ２、および端末回線接続装置１３Ｂとの通信状態を判断可能な指標であるＣＤ切断率Ｉｃ３を算出する。
【０１０８】
図１０は、本発明の第１の実施の形態に係る集約回線接続装置による、中央通信部との通信におけるＣＤ切断率の算出を説明するための図である。
【０１０９】
図１０を参照して、中央通信部２４におけるＣＤ確認部３５は、上述のように、ＣＤ状態においてＣＤ信号を出力する。
【０１１０】
矢印Ｃ１〜Ｃ１９は、処理部２６における状態確認部７１が、中央通信部２４からのＣＤ信号のレベルを確認するタイミングを示している。状態確認部７１は、周期ＴでＣＤ信号のレベルを確認する。
【０１１１】
そして、状態確認部７１は、中央通信部２４からＣＤ信号のレベルを確認した回数すなわち中央装置１１からの搬送波が受信部３０によって受信されているか否かを確認した回数である確認回数Ｐｃ１と、当該ＣＤ信号がローレベルであった回数すなわち搬送波が受信部３０によって受信されていないと認識した回数である認識回数Ｑｃ１とをＣＤ切断率算出部７３へ出力する。
【０１１２】
具体的には、確認回数Ｐｃ１は、矢印Ｃ１〜Ｃ１９の数、すなわち１９である。また、認識回数Ｑｃ１は、矢印Ｃ１１〜Ｃ１４の数、すなわち４である。
【０１１３】
ＣＤ切断率算出部７３は、確認回数Ｐｃ１と認識回数Ｑｃ１とに基づいて、ＣＤ切断率Ｉｃ１を算出する。具体的には、たとえば、ＣＤ切断率算出部７３は、ＣＤ切断率Ｉｃ１を以下の式（１）によって求める。
Ｉｃ１＝Ｑｃ１／Ｐｃ１      ・・・（１）
【０１１４】
なお、状態確認部７１は、搬送波が受信部３０によって受信されていると認識した回数である認識回数Ｋｃ１を認識回数Ｑｃ１の代わりにＣＤ切断率算出部７３へ出力してもよい。この場合、ＣＤ切断率算出部７３は、確認回数Ｐｃ１から認識回数Ｋｃ１を引いて認識回数Ｑｃ１を求め、ＣＤ切断率Ｉｃ１の算出に用いる。
【０１１５】
また、ＣＤ切断率算出部７３は、ＣＤ切断率Ｉｃ１に限らず、中央装置１１との通信状態を判断可能な他の指標を算出してもよい。
【０１１６】
ＣＤ切断率算出部７３は、同様の手順で、たとえば同じ期間におけるＣＤ切断率Ｉｃ２およびＣＤ切断率Ｉｃ３を算出する。
【０１１７】
［ＬＩＮＫ切断率の算出］
再び図９を参照して、状態確認部７１は、中央通信部２４からのＬＩＮＫ信号のレベル、端末通信部２５ＡからのＬＩＮＫ信号のレベル、および端末通信部２５ＢからのＬＩＮＫ信号のレベルを周期的に確認する。
【０１１８】
ＬＩＮＫ切断率算出部７４は、状態確認部７１による確認の結果に基づいて、中央装置１１との通信状態を判断可能な指標であるＬＩＮＫ切断率Ｉｅ１、端末回線接続装置１３Ａとの通信状態を判断可能な指標であるＬＩＮＫ切断率Ｉｅ２、および端末回線接続装置１３Ｂとの通信状態を判断可能な指標であるＬＩＮＫ切断率Ｉｅ３を算出する。
【０１１９】
図１１は、本発明の第１の実施の形態に係る集約回線接続装置による、中央通信部との通信におけるＬＩＮＫ切断率の算出を説明するための図である。
【０１２０】
図１１を参照して、中央通信部２４におけるＬＩＮＫ確認部３６は、上述のように、ＬＩＮＫ状態においてＬＩＮＫ信号を出力する。
【０１２１】
矢印Ｅ１〜Ｅ１９は、処理部２６における状態確認部７１が、中央通信部２４からのＬＩＮＫ信号のレベルを確認するタイミングを示している。状態確認部７１は、周期ＴでＬＩＮＫ信号のレベルを確認する。
【０１２２】
そして、状態確認部７１は、中央通信部２４からのＬＩＮＫ信号のレベルを確認した回数すなわち中央通信部２４の状態がＬＩＮＫ状態であるか否かを確認した回数である確認回数Ｐｅ１と、当該ＬＩＮＫ信号がローレベルであった回数すなわち中央通信部２４の状態がＬＩＮＫ状態でないと認識した回数である認識回数Ｑｅ１とをＬＩＮＫ切断率算出部７４へ出力する。
【０１２３】
具体的には、確認回数Ｐｅ１は、矢印Ｅ１〜Ｅ１９の数、すなわち１９である。また、認識回数Ｑｅ１は、矢印Ｅ１１〜Ｅ１４の数、すなわち４である。
【０１２４】
ＬＩＮＫ切断率算出部７４は、確認回数Ｐｅ１と認識回数Ｑｅ１とに基づいて、ＬＩＮＫ切断率Ｉｅ１を算出する。具体的には、ＬＩＮＫ切断率算出部７４は、ＬＩＮＫ切断率Ｉｅ１を以下の式（２）によって求める。
Ｉｅ１＝Ｑｅ１／Ｐｅ１      ・・・（２）
【０１２５】
ＣＤ切断率算出部７３は、同様の手順で、たとえば同じ期間におけるＬＩＮＫ切断率Ｉｅ２およびＬＩＮＫ切断率Ｉｅ３を算出する。
【０１２６】
［取得エラー率の算出］
再び図９を参照して、状態確認部７１は、フレーム取得部３２がフレームの取得処理を行っている状態であるか否かの確認、およびフレーム取得部５２がフレームの取得処理を行っている状態であるか否かの確認を所定周期で行う。
【０１２７】
具体的には、状態確認部７１は、中央通信部２４からのフレーム取得信号のレベル、端末通信部２５Ａからのフレーム取得信号のレベル、および端末通信部２５Ｂからのフレーム取得信号のレベルを所定周期で確認する。
【０１２８】
取得エラー率算出部７２は、状態確認部７１による確認の結果に基づいて、中央装置１１との通信状態を判断可能な指標である取得エラー率Ｉａ１、端末回線接続装置１３Ａとの通信状態を判断可能な指標である取得エラー率Ｉａ２、および端末回線接続装置１３Ｂとの通信状態を判断可能な指標である取得エラー率Ｉａ３を算出する。
【０１２９】
図１２は、本発明の第１の実施の形態に係る集約回線接続装置による、中央装置との通信状態を判断可能な取得エラー率の算出を説明するための図である。
【０１３０】
図１２を参照して、中央通信部２４におけるフレーム取得部３２は、図７に示すように、フレームの取得処理を行っている期間においてフレーム取得信号を出力する。
【０１３１】
矢印Ａ１〜Ａ１９は、処理部２６における状態確認部７１が、中央通信部２４からのフレーム取得信号のレベルを確認するタイミングを示している。状態確認部７１は、周期Ｔでフレーム取得信号のレベルを確認する。
【０１３２】
そして、状態確認部７１は、中央通信部２４からのフレーム取得信号のレベルを確認した回数、すなわちフレーム取得部３２がフレームの取得処理を行っている状態であるか否かを確認した回数である確認回数Ｐａ１と、当該フレーム取得信号がローレベルであった回数すなわち中央通信部２４のフレーム取得部３２の状態がフレームの取得処理を行っていない状態であると認識した回数である認識回数Ｑａ１とを取得エラー率算出部７２へ出力する。
【０１３３】
具体的には、確認回数Ｐａ１は、矢印Ａ１〜Ａ１９の数、すなわち１９である。また、認識回数Ｑａ１は、矢印Ａ１１〜Ｃ１４の数、すなわち４である。
【０１３４】
取得エラー率算出部７２は、確認回数Ｐａ１と、フレーム取得部３２がフレームの取得処理を行わなかった期間に含まれる周期Ｔの数である周期数Ｎａ１とに基づいて取得エラー率Ｉａ１を算出する。
【０１３５】
具体的には、たとえば、取得エラー率算出部７２は、周期数Ｎａ１を以下の式（３）によって求める。
Ｎａ１＝Ｑａ１−１      ・・・（３）
【０１３６】
そして、取得エラー率算出部７２は、たとえば以下の式（４）によって取得エラー率Ｉａ１を求める。
Ｉａ１＝Ｎａ１×Ｔ／（Ｐａ１−１）×Ｔ＝Ｎａ１／（Ｐａ１−１）      ・・・（４）
【０１３７】
取得エラー率Ｉａ１は、たとえば、中央通信部２４からのフレーム取得信号のレベルの確認を行った観測期間Ｗａに対する、ローレベルのフレーム取得信号を確認した期間Ｖａの割合を示す。観測期間Ｗａは、たとえば矢印Ａ１から矢印Ａ１９までの期間であり、期間Ｖａは、たとえば矢印Ａ１１から矢印Ａ１４までの期間である。
【０１３８】
なお、状態確認部７１は、フレーム取得部３２の状態がフレームの取得処理を行っている状態であると認識した回数である認識回数Ｋａ１を認識回数Ｑａ１の代わりに取得エラー率算出部７２へ出力してもよい。この場合、取得エラー率算出部７２は、確認回数Ｐａ１から認識回数Ｋａ１を引いて認識回数Ｑａ１を求め、取得エラー率Ｉａ１の算出に用いる。
【０１３９】
取得エラー率算出部７２は、同様の手順で、同じ期間における取得エラー率Ｉａ２および取得エラー率Ｉａ３を算出する。
【０１４０】
なお、状態確認部７１が、ＣＤ信号のレベルの確認を行った期間と、ＬＩＮＫ信号のレベルの確認を行った期間と、フレーム取得信号のレベルの確認を行った期間である観測期間Ｗａとは、たとえば同じ期間である。具体的には、たとえば、図１０における矢印Ｃ１からＣ１９までの期間と図１１における矢印Ｅ１からＥ１９までの期間と、図１２における矢印Ａ１からＡ１９までの期間とは同じ期間である。
【０１４１】
以下、ＣＤ切断率Ｉｃ１，Ｉｃ２，Ｉｃ３、ＬＩＮＫ切断率Ｉｅ１，Ｉｅ２，Ｉｅ３、および取得エラー率Ｉａ１，Ｉａ２，Ｉａ３の各々を回線異常情報とも称する。
【０１４２】
再び図９を参照して、算出部７０は、各回線異常情報を短期記憶部７７へ出力する。
【０１４３】
非遠隔カウント部７５は、中央通信部２４から非遠隔信号を受けて、非遠隔信号がハイレベルになった回数、すなわち集約回線接続装置１２が遠隔状態から非遠隔状態へ遷移した回数である非遠隔回数をカウントし、カウント値である非遠隔回数Ｒ１を短期記憶部７７へ出力する。
【０１４４】
短期記憶部７７は、たとえば揮発性メモリを含み、算出部７０から受けた各回線異常情報および非遠隔カウント部７５から受けた非遠隔回数Ｒ１を記憶する。
【０１４５】
算出部７０は、新たな各回線異常情報を周期Ｔで出力して、短期記憶部７７の記憶している回線異常情報を更新する。具体的には、たとえば、算出部７０における取得エラー率算出部７２は、確認回数Ｐａ１が増えるたびに取得エラー率Ｉａ１を計算し直して短期記憶部７７へ出力する。短期記憶部７７は、新たな取得エラー率Ｉａ１を取得すると、記憶している取得エラー率Ｉａ１に上書きする。
【０１４６】
また、非遠隔カウント部７５は、たとえば、非遠隔回数Ｒ１が増えるたびに、最新の非遠隔回数Ｒ１を短期記憶部７７へ出力し、短期記憶部７７の記憶している非遠隔回数Ｒ１を更新する。
【０１４７】
算出部７０は、たとえば１日ごとに各回線異常情報のリセットを行う。具体的には、たとえば、回線異常情報である取得エラー率Ｉａ１がリセットされると、取得エラー率Ｉａ１の算出に用いられる確認回数Ｐａ１および認識回数Ｑａ１がゼロとなる。
【０１４８】
また、非遠隔カウント部７５は、算出部７０において各回線異常情報のリセットが行われるタイミングで非遠隔回数Ｒ１をリセットする。非遠隔回数Ｒ１は、リセットされるとゼロとなる。
【０１４９】
処理部２６は、たとえば、算出部７０において上記リセットが行われる直前に短期記憶部７７が記憶している各回線異常情報および非遠隔回数Ｒ１を長期記憶部２９へ出力する。
【０１５０】
なお、算出部７０において上記リセットが行われるのは、たとえば日付が変わる時である。また、たとえば、算出部７０は、中央装置１１から送信される情報に基づいて時刻を認識する。
【０１５１】
長期記憶部２９は、処理部２６から受けた各回線異常情報および非遠隔回数Ｒ１を記憶する。長期記憶部２９には、たとえば、日ごとの各回線異常情報および日ごとの非遠隔回数Ｒ１がひと月分記憶される。
【０１５２】
提示制御部７６は、算出部７０によって算出された取得エラー率Ｉａ１等の各回線異常情報、および非遠隔回数Ｒ１の内容が認識可能となるような制御を行う。たとえば、提示制御部７６は、長期記憶部２９から日ごとの各回線異常情報および日ごとの非遠隔回数Ｒ１を取得して、これらの内容を表示部２８に表示させる制御を行う。
【０１５３】
また、提示制御部７６は、短期記憶部７７が記憶している各回線異常情報および非遠隔回数Ｒ１を取得し、取得した内容を表示部２８に表示させる制御を行う。なお、提示制御部７６は、表示部２８がＬＥＤである場合、たとえば、各回線異常情報に基づいて、通信状態が悪いと判断した場合にＬＥＤを点灯させる制御を行う。
【０１５４】
図１３は、本発明の第１の実施の形態に係る集約回線接続装置の表示部における表示内容の一例を示す図である。
【０１５５】
図１３を参照して、テーブルｈ１は、３月７日から３月１２日の各日における、観測期間Ｗａと、ＣＤ切断率Ｉｃ１と、ＣＤ切断回数Ｍｃ１と、ＬＩＮＫ切断率Ｉｅ１と、ＬＩＮＫ切断回数Ｍｅ１と、取得エラー率Ｉａ１と、取得エラー回数Ｍａ１と、非遠隔回数Ｒ１とを示している。
【０１５６】
ここで、ＣＤ切断回数Ｍｃ１は、中央通信部２４がＣＤ状態からＣＤ切断状態へ遷移した回数である。ＬＩＮＫ切断回数Ｍｅ１は、中央通信部２４がＬＩＮＫ状態からＬＩＮＫ切断状態へ遷移した回数である。取得エラー回数Ｍａ１は、中央通信部２４におけるフレーム取得部３２がフレームの取得処理を行わなかった期間の数である。
【０１５７】
たとえば、ＣＤ切断回数Ｍｃ１、ＬＩＮＫ切断回数Ｍｅ１および取得エラー回数Ｍａ１の各々は、状態確認部７１によってカウントされる。状態確認部７１は、たとえば、１日ごとのＣＤ切断回数Ｍｃ１、ＬＩＮＫ切断回数Ｍｅ１および取得エラー回数Ｍａ１を長期記憶部２９へ出力して記憶させる。
【０１５８】
提示制御部７６は、長期記憶部２９からＣＤ切断回数Ｍｃ１と、ＬＩＮＫ切断回数Ｍｅ１と、取得エラー回数Ｍａ１とを取得して、非遠隔回数Ｒ１および回線異常情報の内容とともに表示部２８に表示させる制御を行う。
【０１５９】
図１４は、本発明の第１の実施の形態に係る集約回線接続装置の表示部における表示内容の他の例を示す図である。
【０１６０】
図１４を参照して、テーブルｈ２は、３月７日から３月１２日の各日における、観測期間Ｗａと、ＣＤ切断率Ｉｃ２と、ＣＤ切断回数Ｍｃ２と、ＬＩＮＫ切断率Ｉｅ２と、ＬＩＮＫ切断回数Ｍｅ２と、取得エラー率Ｉａ２と、取得エラー回数Ｍａ２とを示している。
【０１６１】
ＣＤ切断回数Ｍｃ２は、端末通信部２５ＡがＣＤ状態からＣＤ切断状態へ遷移した回数である。ＬＩＮＫ切断回数Ｍｅ２は、端末通信部２５ＡがＬＩＮＫ状態からＬＩＮＫ切断状態へ遷移した回数である。取得エラー回数Ｍａ２は、端末通信部２５Ａにおけるフレーム取得部５２がフレームの取得処理を行わなかった期間の数である。
【０１６２】
たとえば、ＣＤ切断回数Ｍｃ２、ＬＩＮＫ切断回数Ｍｅ２および取得エラー回数Ｍａ２の各々は、状態確認部７１によってカウントされる。状態確認部７１は、たとえば、１日ごとのＣＤ切断回数Ｍｃ２、ＬＩＮＫ切断回数Ｍｅ２および取得エラー回数Ｍａ２を長期記憶部２９に出力して記憶させる。
【０１６３】
提示制御部７６は、ＣＤ切断回数Ｍｃ２、ＬＩＮＫ切断回数Ｍｅ２および取得エラー回数Ｍａ２を長期記憶部２９から取得して、回線異常情報の内容とともに表示部２８に表示させる制御を行う。
【０１６４】
図１５は、本発明の第１の実施の形態に係る集約回線接続装置における異常の内容と各指標との関係の一例を示す図である。
【０１６５】
図１５を参照して、テーブルｈ３は、ＣＤ切断率Ｉｃ１、ＬＩＮＫ切断率Ｉｅ１および非遠隔回数Ｒ１に基づいてそれぞれ判断可能な異常の原因を示している。
【０１６６】
図１５を参照して、ＣＤ切断率Ｉｃ１が高い場合、たとえば、中央装置１１からの搬送波を集約回線接続装置１２において受信できない期間が長かったことが分かるため、たとえば中央装置１１の不良が異常の原因であると判断することができる。ＣＤ切断率Ｉｃ１が高い場合、ＬＩＮＫ切断率Ｉｅ１および非遠隔回数Ｒ１も高くなる。
【０１６７】
ＣＤ切断率Ｉｃ１が低く、ＬＩＮＫ切断率Ｉｅ１が高い場合、中央装置１１からの搬送波を集約回線接続装置１２において受信できているにも関わらず、集約回線接続装置１２が中央装置１１との通信接続を確立できない期間が長かったことが分かるため、たとえば集約回線接続装置１２における通信部２１の不良が異常の原因であると判断することができる。ＬＩＮＫ切断率Ｉｅ１が高い場合、非遠隔回数Ｒ１も高くなる。
【０１６８】
ＣＤ切断率Ｉｃ１およびＬＩＮＫ切断率Ｉｅ１が低く、非遠隔回数Ｒ１が高い場合、集約回線接続装置１２は、中央装置１１と通信を行っているにも関わらず、遠隔状態から非遠隔状態へ遷移した回数が多かったことが分かるため、たとえば集約回線接続装置１２における制御部２０の不良が異常の原因であると判断することができる。
【０１６９】
集約回線接続装置１２が遠隔状態から非遠隔状態へ遷移するのは、中央装置１１からたとえば１分ごとに送信される遠隔指令を、集約回線接続装置１２における制御部２０がたとえば１０分間のうちに１回も受けない場合である。つまり、制御部２０が遠隔指令をたとえば１０分間に１回でも受信した場合には、集約回線接続装置１２は遠隔状態のまま維持される。したがって、ＣＤ切断率Ｉｃ１およびＬＩＮＫ切断率Ｉｅ１が中程度であるにも関わらず、非遠隔回数Ｒ１が低い場合、異常の原因は、制御部２０ではなくたとえば回線の不良であると判断することができる。
【０１７０】
なお、取得エラー率Ｉａ１が高い場合、ＣＤ切断率Ｉｃ１およびＬＩＮＫ切断率Ｉｅ１の両方が高いときと、ＣＤ切断率Ｉｃ１が低く、かつＬＩＮＫ切断率Ｉｅ１が高いときとがある。したがって、取得エラー率Ｉａ１が高い場合、ＣＤ切断率Ｉｃ１およびＬＩＮＫ切断率を確認することにより、異常の原因を判断することができる。
【０１７１】
図１６は、本発明の第１の実施の形態に係る集約回線接続装置における異常の内容と各指標との関係の他の例を示す図である。
【０１７２】
図１６を参照して、テーブルｈ４は、ＣＤ切断率Ｉｃ２、ＬＩＮＫ切断率Ｉｅ２に基づいてそれぞれ判断可能な異常の原因を示している。
【０１７３】
ＣＤ切断率Ｉｃ２が高い場合、端末回線接続装置１３Ａからのデジタル信号を集約回線接続装置１２において受信できない期間が長かったことが分かるため、たとえば端末回線接続装置１３Ａの不良が異常の原因であると判断することができる。ＣＤ切断率Ｉｃ２が高い場合、ＬＩＮＫ切断率Ｉｅ２も高くなる。
【０１７４】
ＣＤ切断率Ｉｃ２が低く、ＬＩＮＫ切断率Ｉｅ２が高い場合、端末回線接続装置１３Ａからのデジタル信号を集約回線接続装置１２において受信できているにも関わらず、集約回線接続装置１２が端末回線接続装置１３Ａとの通信接続を確立できない期間が長かったことが分かるため、たとえば集約回線接続装置１２における通信部２１の不良が異常の原因であると判断することができる。
【０１７５】
なお、取得エラー率Ｉａ２が高い場合、ＣＤ切断率Ｉｃ２およびＬＩＮＫ切断率Ｉｅ２の両方が高いときと、ＣＤ切断率Ｉｃ２が低く、かつＬＩＮＫ切断率Ｉｅ２が高いときとがある。したがって、取得エラー率Ｉａ２が高い場合、ＣＤ切断率Ｉｃ２およびＬＩＮＫ切断率Ｉｅ２を確認することにより、異常の原因を判断することができる。
【０１７６】
図１７は、本発明の第１の実施の形態に係る集約回線接続装置の機能の一部をソフトウェアにより実現した場合におけるソフトウェアの動作内容の一例を示す図である。
【０１７７】
図１７を参照して、集約回線接続装置１２が含むコンピュータは、プログラムを実行することにより、通信プロセス９１，９２，９３と、周期プロセス９４と、ログプロセス９５と、表示ツール９６と、ＷＥＢ  ＣＧＩ（ＷＥＢ  Ｃｏｍｍｏｎ  Ｇａｔｅｗａｙ  Ｉｎｔｅｒｆａｃｅ）９７として機能する。
【０１７８】
具体的には、通信プロセス９１，９２，９３は、中央装置１１との通信に関する処理、端末回線接続装置１３Ａとの通信に関する処理、および端末回線接続装置１３Ｂとの通信に関する処理をそれぞれ行う。
【０１７９】
たとえば、周期プロセス９４は、通信プロセス９１，９２，９３から、回線状態に関する情報である、ＣＤ状態であるか否かを示す情報と、ＬＩＮＫ状態であるか否かを示す情報と、フレームの取得処理を行っているか否かを示す情報とを周期的に収集する。
【０１８０】
また、周期プロセス９４は、取得した各情報に基づいて回線異常情報を作成し、作成した回線異常情報を周期的に更新する。なお、周期プロセス９４は、必要な設定情報等を集約回線接続装置１２の起動時に長期記憶部２９から取得する。
【０１８１】
ログプロセス９５は、周期プロセス９４で作成および更新された回線異常情報を参照して、たとえば日ごとの回線異常情報を長期記憶部２９に保存する。
【０１８２】
また、ログプロセス９５は、表示ツール９６を実行して、回線異常情報の内容をたとえば図３に示す表示部２８に表示させる。具体的には、表示ツール９６は、回線異常情報の内容を表示部２８に表示するための信号を出力する。また、ＷＥＢ  ＣＧＩ９７も表示ツール９６を実行することができる。
【０１８３】
なお、たとえば図１に示す端末回線接続装置１３は、集約回線接続装置１２と同様に、自己におけるＣＤ切断率、ＬＩＮＫ切断率、取得エラー率および非遠隔回数を算出して表示する構成であってもよい。具体的には、端末回線接続装置１３は、図３に示す長期記憶部２９および表示部２８、図８に示す受信部５１、フレーム取得部５２、ＣＤ確認部５３およびＬＩＮＫ確認部５４、ならびに図９に示す算出部７０、状態確認部７１、表示制御部７６および短期記憶部７７の各々と同様のユニットを備える構成であってもよい。
【０１８４】
ところで、通信品質の悪化により、たとえば、中央装置が制御に関する通信データを交通信号制御機へ伝送できなくなった場合、交通信号制御機において信号灯器の灯色を適切に制御することができなくなり、交通渋滞が発生してしまう可能性がある。このような状況を回避するために、交通管制システムにおける装置間の通信品質を監視し、通信品質が悪化した場合には、速やかに対応することが望まれる。
【０１８５】
機器間の通信品質を把握するための方法として、たとえば、疑似ランダム信号を一方の装置から送信し、他方の装置において当該疑似ランダム信号を受信して、装置間において正しく信号が伝送されたか否かを確認する方法がある。しかしながら、このような方法を用いる場合、機器間における通常の通信を中断する必要があるため、たとえば、機器の最適な制御を妨げてしまうことがある。
【０１８６】
また、たとえばオシロスコープを用いて通信信号におけるコンスタレーションを観察し、機器間の通信品質を評価する方法も考えられるが、このような方法では定量的な結果を得ることができないため、通信品質の把握が困難な場合がある。
【０１８７】
これに対して、本発明の第１の実施の形態に係る交通管制端末装置である集約回線接続装置１２では、受信部３０は、中央装置１１から連続して送信される、交通情報を格納可能なフレームを受信する。フレーム取得部３２は、受信部３０によって受信されたフレームにフラグシーケンスが含まれる場合、当該フレームの取得処理を行う。状態確認部７１は、フレーム取得部３２が取得処理を行っている状態であるか否かの確認であるフレーム確認を所定の周期で行う。算出部７０は、状態確認部７１によって当該フレーム確認が行われた回数と、フレーム取得部３２が取得処理を行わなかった期間に含まれる上記周期の数とに基づいて、中央装置１１との通信の状態を判断可能な指標である取得エラー率Ｉａ１を第１の指標として算出する。
【０１８８】
また、受信部５１は、端末回線接続装置１３から連続して送信される、交通情報を格納可能なフレームを受信する。フレーム取得部５２は、受信部５１によって受信されたフレームにフラグシーケンスが含まれる場合、当該フレームの取得処理を行う。状態確認部７１は、フレーム取得部５２が取得処理を行っている状態であるか否かの確認であるフレーム確認を所定の周期で行う。算出部７０は、状態確認部７１によって当該フレーム確認が行われた回数と、フレーム取得部５２が取得処理を行わなかった期間に含まれる上記周期の数とに基づいて、端末回線接続装置１３との通信の状態を判断可能な指標である取得エラー率Ｉａ２または取得エラー率Ｉａ３を第１の指標として算出する。提示制御部７６は、算出部７０によって算出された第１の指標が認識可能となるような制御を行う。
【０１８９】
このような構成により、たとえば、中央装置１１から送信されたフレームの取得処理が可能であった時間に対する、当該フレームの取得処理が行われなかった時間の割合を第１の指標として取得することができ、取得した第１の指標がたとえば所定値より大きい場合に、中央装置１１との通信の状態に異常が有ると判断することができる。
【０１９０】
また、たとえば、端末回線接続装置１３から送信されたフレームの取得処理が可能であった時間に対する、当該フレームの取得処理が行われなかった時間の割合を第１の指標として取得することができ、取得した第１の指標がたとえば所定値より大きい場合に、端末回線接続装置１３との通信の状態に異常が有ると判断することができる。このため、端末回線接続装置１３との間における情報の送受信が通常どおりに行われている状態において、端末回線接続装置１３との通信の状態を容易に判断することができる。このため、装置間で交通情報の伝送を継続して行いながら、通信の状態を容易に判断することができる。
【０１９１】
したがって、本発明の第１の実施の形態に係る交通管制端末装置では、交通管制システムにおける通信を妨げることなく、当該通信の品質を的確に把握することができる。
【０１９２】
また、本発明の第１の実施の形態に係る交通管制端末装置では、中央装置１１からのフレームは、搬送波によって伝送される。受信部３０は、当該搬送波を受信することによって、中央装置１１からのフレームを受信する。状態確認部７１は、当該搬送波が受信部３０によって受信されているか否かの確認である信号確認を定期的または不定期に行う。算出部７０は、状態確認部７１によって信号確認が行われた回数と、当該搬送波が受信されていないと状態確認部７１によって確認された回数とに基づいて、中央装置１１との通信の状態を判断可能な指標であるＣＤ切断率Ｉｃ１を第２の指標としてさらに算出する。提示制御部７６は、算出部７０によって算出された第２の指標が認識可能となるような制御をさらに行う。
【０１９３】
このような構成により、たとえば、中央装置１１からの搬送波の受信が可能であった時間に対する、当該搬送波を受信しなかった時間の割合を第２の指標として取得することができるため、第２の指標がたとえば所定値より大きい場合に、中央装置１１との通信の状態に異常が有ると判断することができる。また、たとえば、第１の指標に基づいて、中央装置１１との通信の状態に異常が有ると判断した場合に、第２の指標を確認することによって、当該搬送波を受信していないために異常が生じているのか、当該搬送波を受信しているにも関わらず異常が生じているのかを知ることができる。
【０１９４】
また、本発明の第１の実施の形態に係る交通管制端末装置では、受信部３０は、中央装置１１から送信された指令情報を受信する。制御部２０は、受信部３０によって受信された指令情報に基づいて、集約回線接続装置１２を中央装置１１によって制御され得る状態である遠隔状態へ遷移させる。非遠隔カウント部７５は、集約回線接続装置１２が遠隔状態から非遠隔状態へ遷移した回数である非遠隔回数をカウントする。提示制御部７６は、非遠隔カウント部７５によってカウントされた非遠隔回数が認識可能となるような制御をさらに行う。
【０１９５】
このような構成により、たとえば、非遠隔回数が所定値よりも大きい場合に、中央装置１１との通信の状態または制御部２０に異常が有ると判断することができる。
【０１９６】
また、非遠隔回数が大きい場合、たとえば、第１の指標を確認することによって、通信の状態に異常が有るために非遠隔回数が大きいのか、通信の状態に異常が無いにも関わらず、非遠隔回数が大きいのかを知ることができる。
【０１９７】
次に、本発明の他の実施の形態について図面を用いて説明する。なお、図中同一または相当部分には同一符号を付してその説明は繰り返さない。
【０１９８】
＜第２の実施の形態＞
本実施の形態は、第１の実施の形態に係る集約回線接続装置と比べて、通信状態を判断可能な指標として、異なる指標を算出する集約回線接続装置に関する。以下で説明する内容以外は第１の実施の形態に係る交通管制システムと同様である。
【０１９９】
図６は、本発明の第２の実施の形態に係る集約回線接続装置における中央通信部の構成も示している。
【０２００】
図６を参照して、フレーム取得部３２は、受信部３０によって受信されたフレームに所定情報たとえばフラグシーケンスが含まれている場合に、当該フレームの取得処理を行う。
【０２０１】
また、フレーム取得部３２は、取得処理によりフレームを得たことを示すフレーム取得信号を処理部２６へ出力する。具体的には、たとえば、フレーム取得部３２は、通常、ローレベルのフレーム取得信号を出力しており、取得処理によりフレームを得ると、所定時間ハイレベルのフレーム取得信号を出力する。フレーム取得部３２は、フレームを得るたびにハイレベルのフレーム取得信号を出力する。
【０２０２】
図８は、本発明の第２の実施の形態に係る集約回線接続装置における端末通信部の構成も示している。
【０２０３】
図８を参照して、フレーム取得部５２は、受信部５１によって受信されたフレームに所定情報たとえばフラグシーケンスが含まれている場合に、当該フレームの取得処理を行う。
【０２０４】
また、フレーム取得部５２は、取得処理によりフレームを得たことを示すフレーム取得信号を処理部２６へ出力する。具体的には、たとえば、フレーム取得部５２は、通常、ローレベルのフレーム取得信号を出力しており、取得処理によりフレームを得ると、所定時間ハイレベルのフレーム取得信号を出力する。フレーム取得部５２は、フレームを得るたびにハイレベルのフレーム取得信号を出力する。
【０２０５】
図１８は、本発明の第２の実施の形態に係る集約回線接続装置における処理部の構成を示す図である。
【０２０６】
図１８を参照して、処理部２６は、算出部７０と、状態確認部７１と、非遠隔カウント部７５と、提示制御部７６と、短期記憶部７７とを含む。算出部７０は、ＣＤ切断率算出部７３と、ＬＩＮＫ切断率算出部７４と、エラー指数算出部８４とを含む。
【０２０７】
エラー指数算出部８４は、中央通信部２４からのフレーム取得信号、端末通信部２５Ａからのフレーム取得信号および端末通信部２５Ｂからのフレーム取得信号を受ける。
【０２０８】
エラー指数算出部８４は、中央通信部２４からハイレベルのフレーム取得信号を受けた回数である取得回数Ｂ１と、端末通信部２５Ａからハイレベルのフレーム取得信号を受けた回数である取得回数Ｂ２と、端末通信部２５Ｂからハイレベルのフレーム取得信号を受けた回数である取得回数Ｂ３とをカウントする。
【０２０９】
ここで、たとえば中央装置１１から送信されるフレームのサイズは、上述のように、フレームごとに異なる場合があるが、最大で２６１バイトである。また、中央装置１１と集約回線接続装置１２との通信における伝送速度は、たとえば９６００ｂｐｓに規定されている。
【０２１０】
したがって、中央装置１１が最大サイズのフレーム（以下、最大フレームとも称する。）を連続して送信すると仮定すると、中央通信部２４のフレーム取得部３２が単位時間当たりに取得可能な最大フレームの数は一定となる。
【０２１１】
具体的には、たとえば、フレームのサイズは最大２６１バイトであるため、１つのフレームに含まれるビット数ｂｎは、以下の式（５）で表される。
ｂｎ＝２６１×８＝２０８８      ・・・（５）
【０２１２】
また、中央装置１１と集約回線接続装置１２との通信における伝送速度は、たとえば９６００ｂｐｓであるため、フレーム取得部３２が１秒あたりに取得可能な最大フレームの数Ｆｍは、以下の式（６）で表される。
Ｆｍ＝９６００／２０８８＝４．５９      ・・・（６）
【０２１３】
エラー指数算出部８４は、フレーム取得部３２が観測期間において取得処理で得たフレームの数と、当該観測期間においてフレーム取得部３２が取得処理で得ることが可能な、最大フレームの数とに基づいて、中央装置１１と集約回線接続装置１２との通信の状態を判断可能な指標である取得エラー指数Ｈ１を算出する。
【０２１４】
具体的には、エラー指数算出部８４は、観測期間における取得回数Ｂ１と、当該観測期間においてフレーム取得部３２が取得可能な最大フレームの数とに基づいて取得エラー指数Ｈ１を算出する。
【０２１５】
図１９は、本発明の第２の実施の形態に係る集約回線接続装置による、中央装置との通信状態を判断可能な取得エラー指数の算出を説明するための図である。
【０２１６】
図１９を参照して、フレーム取得部３２は、モデム部３１経由で中央装置１１からの信号を受信して、当該信号からフラグシーケンスを検出する。フレーム取得部３２は、当該信号からフラグシーケンスを検出できた場合、フレームの取得処理を開始する。
【０２１７】
フレーム取得部３２は、中央装置１１からのフレームが途切れた場合、すなわちフラグシーケンスを検出してから所定時間Ｍが経過しても次のフラグシーケンスを検出できない場合に、フレームの取得処理を停止する。
【０２１８】
フレーム取得部３２は、観測期間Ｏｔにおいて、フレームＹ１からＹ３までの３つのフレームを取得処理により得た。一方、フレーム取得部３２が同じ期間において取得処理により得ることが可能であった最大フレームは、フレームＬ１からＬ４までの４つである。この場合、取得エラー指数Ｈ１は、たとえば以下の式（７）で求められる。
Ｈ１＝３／４＝０．７５      ・・・（７）
【０２１９】
また、エラー指数算出部８４は、同様に、集約回線接続装置１２と端末回線接続装置１３Ａとの通信の状態を判断可能な指標である取得エラー指数Ｈ２、および集約回線接続装置１２と端末回線接続装置１３Ａとの通信の状態を判断可能な指標である取得エラー指数Ｈ３を算出する。以下、取得エラー指数Ｈ１，Ｈ２，Ｈ３の各々を回線異常情報とも称する。
【０２２０】
再び図１８を参照して、算出部７０は、各回線異常情報を短期記憶部７７へ出力する。短期記憶部７７は、たとえば揮発性メモリを含み、算出部７０から受けた各回線異常情報を記憶する。
【０２２１】
算出部７０は、新たな各回線異常情報を出力して、短期記憶部７７の記憶している回線異常情報を更新する。具体的には、たとえば、算出部７０におけるエラー指数算出部８４は、取得回数Ｂ１が増えるごとに、取得エラー指数Ｈ１を計算し直して短期記憶部７７へ出力する。短期記憶部７７は、新たな取得エラー指数Ｈ１を取得すると、記憶している取得エラー指数Ｈ１に上書きする。
【０２２２】
算出部７０は、たとえば１日ごとに各回線異常情報のリセットを行う。具体的には、たとえば、取得エラー指数Ｈ１がリセットされると、取得エラー指数Ｈ１の算出に用いられる取得回数Ｂ１がゼロとなる。
【０２２３】
処理部２６は、たとえば、算出部７０において上記リセットが行われる直前に短期記憶部７７が記憶している各回線異常情報を長期記憶部２９へ出力する。
【０２２４】
なお、算出部７０において上記リセットが行われるのは、たとえば日付が変わる時である。また、たとえば、算出部７０は、中央装置１１から送信される情報に基づいて時刻を認識する。
【０２２５】
長期記憶部２９は、短期記憶部７７から受けた各回線異常情報を記憶する。長期記憶部２９には、たとえば、日ごとの各回線異常情報がひと月分記憶される。
【０２２６】
提示制御部７６は、算出部７０によって算出された取得エラー指数Ｈ１等の各回線異常情報の内容が認識可能となるような制御を行う。たとえば、提示制御部７６は、長期記憶部２９から日ごとの各回線異常情報を取得して、取得した内容を表示部２８に表示させる制御を行う。また、提示制御部７６は、提示制御部７６は、短期記憶部７７が記憶している各回線異常情報を取得して、取得した内容を表示部２８に表示させる制御を行う。
【０２２７】
なお、提示制御部７６は、表示部２８がＬＥＤである場合、たとえば、各回線異常情報に基づいて、通信状態が悪いと判断した場合にＬＥＤを点灯させる制御を行う。
【０２２８】
また、たとえば図１に示す端末回線接続装置１３は、集約回線接続装置１２と同様に、自己における取得エラー指数を算出して表示する構成であってもよい。具体的には、端末回線接続装置１３は、図３に示す長期記憶部２９および表示部２８、図８に示す受信部５１およびフレーム取得部５２、ならびに図１８に示す算出部７０、状態確認部７１、表示制御部７６および短期記憶部７７の各々と同様のユニットを備える構成であってもよい。
【０２２９】
以上のように、本発明の第２の実施の形態に係る交通管制端末装置である集約回線接続装置１２では、受信部３０は、中央装置１１から連続して送信される、交通情報を格納可能なフレームを受信する。フレーム取得部３２は、受信部３０によって受信されたフレームにフラグシーケンスが含まれる場合、当該フレームの取得処理を行う。算出部７０は、フレーム取得部３２が観測期間において取得処理で得たフレームの数と、当該観測期間においてフレーム取得部３２が取得処理により得ることが可能な、最大サイズのフレームの数とに基づいて、中央装置１１との通信の状態を判断可能な指標である取得エラー指数Ｈ１を第１の指標として算出する。
【０２３０】
また、受信部５１は、端末回線接続装置１３から連続して送信される、交通情報を格納可能なフレームを受信する。フレーム取得部５２は、受信部５１によって受信されたフレームにフラグシーケンスが含まれる場合、当該フレームの取得処理を行う。算出部７０は、フレーム取得部５２が観測期間において取得処理で得たフレームの数と、当該観測期間においてフレーム取得部５２が取得処理により得ることが可能な、最大サイズのフレームの数とに基づいて、端末回線接続装置１３との通信の状態を判断可能な指標である取得エラー指数Ｈ２または取得エラー指数Ｈ３を第１の指標として算出する。提示制御部７６は、算出部７０によって算出された第１の指標が認識可能となるような制御を行う。
【０２３１】
このような構成により、観測期間において取得処理で得ることが可能な最大サイズのフレームの数に対する、当該観測期間に実際に取得処理で得たフレームの数の割合を第１の指標として取得することができ、取得した第１の指標がたとえば所定値より小さい場合に、通信の状態に異常が有ると判断することができる。このため、装置間で交通情報の伝送を継続して行いながら、通信の状態を容易に判断することができる。
【０２３２】
したがって、本発明の第２の実施の形態に係る交通管制端末装置では、交通管制システムにおける通信を妨げることなく、当該通信の品質を的確に把握することができる。
【０２３３】
その他の構成および動作は第１の実施の形態に係る交通管制端末装置と同様であるため、ここでは詳細な説明を繰り返さない。
【０２３４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２３５】
以上の説明は、以下に付記する特徴を含む。
【０２３６】
［付記１］
Ｕ形伝送方式およびＳ６形伝送方式の少なくともいずれか一方に従って他の装置と通信を行う交通管制端末装置であって、
前記他の装置から連続して送信される、交通情報を格納可能なフレームを受信する受信部と、
前記受信部によって受信された前記フレームにフラグシーケンスが含まれる場合、前記フレームの取得処理を行うフレーム取得部と、
前記フレーム取得部が前記取得処理を行っている状態であるか否かの確認であるフレーム確認を所定の周期で行う状態確認部と、
前記状態確認部によって前記フレーム確認が行われた回数と、前記フレーム取得部が前記取得処理を行わなかった期間に含まれる前記周期の数とに基づいて、前記通信の状態を判断可能な第１の指標を算出する算出部と、
前記算出部によって算出された前記第１の指標が認識可能となるような制御を行う提示制御部とを備え、
前記交通端末装置は、交通信号制御機、光ビーコンまたは車両感知器であり、
前記他の装置は、前記交通管制端末装置以外の交通管制端末装置または中央装置である、交通管制端末装置。
【０２３７】
［付記２］
Ｕ形伝送方式およびＳ６形伝送方式の少なくともいずれか一方に従って他の装置と通信を行う交通管制端末装置であって、
前記他の装置から連続して送信される、交通情報を格納可能なフレームを受信する受信部と、
前記受信部によって受信された前記フレームにフラグシーケンスが含まれる場合、前記フレームの取得処理を行うフレーム取得部とを備え、
前記他の装置は、サイズの異なるフレームを送信可能であり、
さらに、
前記フレーム取得部が観測期間において前記取得処理で得たフレームの数と、前記観測期間において前記フレーム取得部が前記取得処理により得ることが可能な、最大サイズのフレームの数とに基づいて、前記通信の状態を判断可能な第１の指標を算出する算出部と、
前記算出部によって算出された前記第１の指標が認識可能となるような制御を行う提示制御部とを備え、
前記交通端末装置は、交通信号制御機、光ビーコンまたは車両感知器であり、
前記他の装置は、前記交通管制端末装置以外の交通管制端末装置または中央装置である、交通管制端末装置。
【符号の説明】
【０２３８】
１１  中央装置
１２  集約回線接続装置
１３  端末回線接続装置
２０  制御部
２１  通信部
２２  端末間インターフェース部
２４  中央通信部
２５  端末通信部
２６  処理部
２７  インターフェース回路
２８  表示部
２９  長期記憶部
３０，５１  受信部
３１  モデム部
３２，５２  フレーム取得部
３３  フレーム生成部
３４，５０  送信部
３５，５３  ＣＤ確認部
３６，５４  ＬＩＮＫ確認部
３７  遠隔確認部
７０  算出部
７１  状態確認部
７２  取得エラー率算出部
７３  ＣＤ切断率算出部
７４  ＬＩＮＫ切断率算出部
７５  非遠隔カウント部
７６  提示制御部
７７  短期記憶部
８４  エラー指数算出部
９１，９２，９３  通信プロセス
９４  周期プロセス
９５  ログプロセス
９６  表示ツール
９７  ＷＥＢ  ＣＧＩ
１００  交通管制システム
【図１】
2015210757.tif 000003
【図２】
2015210757.tif 000004
【図３】
2015210757.tif 000005
【図４】
2015210757.tif 000006
【図５】
2015210757.tif 000007
【図６】
2015210757.tif 000008
【図７】
2015210757.tif 000009
【図８】
2015210757.tif 000010
【図９】
2015210757.tif 000011
【図１０】
2015210757.tif 000012
【図１１】
2015210757.tif 000013
【図１２】
2015210757.tif 000014
【図１３】
2015210757.tif 000015
【図１４】
2015210757.tif 000016
【図１５】
2015210757.tif 000017
【図１６】
2015210757.tif 000018
【図１７】
2015210757.tif 000019
【図１８】
2015210757.tif 000020
【図１９】
2015210757.tif 000021